【手続補正書】
【提出日】令和1年11月6日(2019.11.6)
【手続補正１】
【補正対象書類名】特許請求の範囲
【補正対象項目名】全文
【補正方法】変更
【補正の内容】
【特許請求の範囲】
【請求項１】
遊技球が入球可能な始動口と、
前記始動口への入球に基づいて取得した取得情報を複数記憶可能な取得情報記憶手段と、
前記取得情報に基づいて判定を実行する判定実行手段と、
前記判定実行手段の判定結果に基づいて識別情報を変動表示し、所定の停止態様で停止表示する識別情報表示手段と、
特定の識別情報の変動表示の内容を報知する連続事前演出を、連続する複数の識別情報の変動表示に亘って実行可能な連続事前演出実行手段と、
前記連続事前演出の実行を制限する連続事前演出制限手段と、
を備え、
前記連続する複数の識別情報の変動表示は、前記特定の識別情報の変動表示及び前記特定の識別情報の変動表示より前の識別情報の変動表示で構成され、
前記連続事前演出で実行される事前演出の実行回数に基づいて、特定演出の発生を報知するものとされ、
前記連続事前演出制限手段は、前記特定の識別情報の変動表示の停止態様に基づいて、前記特定の識別情報の変動表示の、次の識別情報の変動表示において、前記連続事前演出の実行を制限する場合と、制限しない場合とがある
ことを特徴とする遊技機。
【請求項２】
前記連続事前演出制限手段は、
前記特定の識別情報の変動表示の停止態様が特定停止態様でない場合、前記特定の識別情報の変動表示の、次の識別情報の変動表示において、前記連続事前演出の実行を制限し、
前記特定の識別情報の変動表示の停止態様が特定停止態様である場合、前記特定の識別情報の変動表示の、次の識別情報の変動表示において、前記連続事前演出の実行を制限しないことを特徴とする請求項１に記載の遊技機。
【請求項３】
前記連続事前演出が、所定回数の連続する識別情報の変動表示で実行されることで、前記特定演出の発生を報知するものとされ、
前記連続事前演出制限手段は、
前記連続事前演出が、前記所定回数未満の識別情報の変動表示で実行された場合であって、前記特定の識別情報の変動表示の停止態様が特定停止態様でない場合は、前記特定の識別情報の変動表示の、次の識別情報の変動表示において、前記連続事前演出の実行を制限し、
前記連続事前演出が、前記所定回数未満の識別情報の変動表示で実行された場合であって、前記特定の識別情報の変動表示の停止態様が特定停止態様である場合は、前記特定の識別情報の変動表示の、次の識別情報の変動表示において、前記連続事前演出の実行を制限しないことを特徴とする請求項１又は請求項２に記載の遊技機。
【請求項４】
前記識別情報表示手段で変動表示する識別情報は、３個の識別情報からなり、
前記識別情報の変動表示の演出態様として、前記３個の識別情報のうち、２個の識別情報を同じ識別情報とし、且つ、１個の識別情報を変動表示するリーチ演出態様を有し、
前記特定演出は、前記リーチ演出態様であることを特徴とする請求項１乃至請求項３の何れか一項に記載の遊技機。
【請求項５】
前記特定停止態様は、前記３個の識別情報のうち、２個の識別情報が同じ識別情報で停止表示し、且つ、１個の識別情報が前記２個の識別情報と異なる識別情報で停止表示する停止態様であることを特徴とする請求項４に記載の遊技機。
【請求項６】
前記連続事前演出制限手段が、所定の識別情報の変動表示において、前記連続事前演出の実行を制限した場合、
当該所定の識別情報の変動表示の次の識別情報の変動表示において、前記連続事前演出の実行を制限しないことを特徴とする請求項１乃至請求項５の何れか一項に記載の遊技機。
【手続補正２】
【補正対象書類名】明細書
【補正対象項目名】０００９
【補正方法】変更
【補正の内容】
【０００９】
これによると、連続事前演出の実行回数によって特定演出の発生を報知するものであって、特定の識別情報の変動表示の停止態様に基づいて、当該特定の識別情報の変動表示の次の識別情報の変動表示において、連続事前演出を実行可能とするか不能とするかを適切に制御することが可能となる。またこれにより、異なる取得情報を対象として実行する、前の連続事前演出と後の連続事前演出との間に、区切りとなる識別情報の変動表示を設定せず、これらの連続事前演出を続けて実行可能にする場合と、前の連続事前演出と後の連続事前演出との間に区切りとなる（連続事前演出を実行しない）識別情報の変動表示を設定する場合と、を有することが可能となる。これにより、連続事前演出の実行頻度を極力高め、遊技興趣を高めることが可能となる。
尚、「特定の識別情報の変動表示の内容を報知する」とは、例えば、特定の識別情報の変動表示に伴って実行される演出内容（リーチ演出、キャラクタ演出、予告演出等の有無や種類）や、特定の識別情報の変動表示の結果（大当り、小当り、外れ、当り種別等の判定結果）や特定の識別情報の変動表示の結果が大当りとなる可能性等を報知することをいう。また、連続事前演出によってその内容が報知される「特定の識別情報の変動表示」を、「対象変動」ともいう。また「連続事前演出の実行を制限する」とは、例えば、連続事前演出の実行を禁止してもよいし、連続事前演出の実行可能性を低くしてもよいし、新たな連続事前演出の実行の決定を禁止してもよい。また、「特定の識別情報の変動表示の停止態様に基づいて、連続事前演出の実行を制限する場合と、制限しない場合とがある」とは、例えば、特定の識別情報の変動表示において、特定停止態様（例えば、リーチ外れ図柄、特定キャラクタ停止図柄）で識別情報が停止表示する場合には連続事前演出の実行を制限しないものとし、特定停止態様で識別情報が停止表示しない場合には連続事前演出の実行を制限するものとしてもよい。
（１）また、第２発明の遊技機は、第１発明の遊技機において、
前記連続事前演出制限手段は、
前記特定の識別情報の変動表示の停止態様が特定停止態様でない場合、前記特定の識別情報の変動表示の、次の識別情報の変動表示において、前記連続事前演出の実行を制限し、
前記特定の識別情報の変動表示の停止態様が特定停止態様である場合、前記特定の識別情報の変動表示の、次の識別情報の変動表示において、前記連続事前演出の実行を制限しないことを特徴とするものである。
このような遊技機によれば、連続事前演出制限手段は、特定の識別情報の変動表示において識別情報が特定停止態様で停止表示しない場合、当該特定の識別情報の変動表示の次の識別情報の変動表示において、連続事前演出の実行を制限するものとする。一方、特定の識別情報の変動表示において識別情報が特定停止態様で停止表示する場合、当該特定の識別情報の変動表示の次の識別情報の変動表示において、連続事前演出の実行を制限しないものとする。
これにより、連続事前演出が実行された特定の識別情報の変動表示において識別情報が特定停止態様で停止表示する場合には、その次の識別情報の変動表示において連続事前演出の実行を可能とする。ここで、「連続事前演出の実行を可能とする」とは、必ずしも連続事前演出を実行することを要するのではなく、例えば、所定の抽選の結果により、連続事前演出を実行する場合と実行しない場合とがあってもよいことを意味する。またこれは、連続事前演出の実行回数により特定演出の発生を報知するものであっても、前の連続事前演出の特定の識別情報の変動表示において特定演出が実行されるため、後の連続事前演出を前の連続事前演出に続けて実行したとしても、遊技者が前の連続事前演出と後の連続事前演出とを区別することが可能となる（混同しない）からである。またこれにより、連続事前演出の実行可能性を適切に高め、遊技興趣を向上することが可能となる。
（２）また、第３発明の遊技機は、第１発明又は第２発明の遊技機において、
前記連続事前演出が、所定回数の連続する識別情報の変動表示で実行されることで、前記特定演出の発生を報知するものとされ、
前記連続事前演出制限手段は、
前記連続事前演出が、前記所定回数未満の識別情報の変動表示で実行された場合であって、前記特定の識別情報の変動表示の停止態様が特定停止態様でない場合は、前記特定の識別情報の変動表示の、次の識別情報の変動表示において、前記連続事前演出の実行を制限し、
前記連続事前演出が、前記所定回数未満の識別情報の変動表示で実行された場合であって、前記特定の識別情報の変動表示の停止態様が特定停止態様である場合は、前記特定の識別情報の変動表示の、次の識別情報の変動表示において、前記連続事前演出の実行を制限しないことを特徴とするものである。
このような遊技機によれば、所定回数の連続する識別情報の変動表示で連続事前演出を実行することで、特定演出の発生を報知するものとする。そして、連続事前演出制限手段は、連続事前演出が、所定回数未満の識別情報の変動表示で実行される場合であって、特定の識別情報の変動表示において識別情報が特定停止態様で停止表示しない場合、特定の識別情報の変動表示の次の識別情報の変動表示において、連続事前演出の実行を制限するものとする。これは、前の連続事前演出と後の連続事前演出とが続けて発生することで、夫々の連続事前演出の実行回数は所定回数に到達していないにもかかわらず、連続事前演出が所定回数以上連続して実行されたように見え、特定演出が発生しない場合に遊技興趣を低下させる虞があるからである。これを防止するため、特定の識別情報の変動表示の次の識別情報の変動表示において、連続事前演出の実行を制限し、連続事前演出の区切りを設定するものである。
一方、連続事前演出が、前記所定回数未満の識別情報の変動表示で実行される場合であって、特定の識別情報の変動表示において識別情報が特定停止態様で停止表示する場合、特定の識別情報の変動表示の次の識別情報の変動表示において、前記連続事前演出の実行を制限しないものとする。これは前の連続事前演出に係る特定の識別情報の変動表示において特定演出が実行されるため、遊技者が、前の連続事前演出と後の連続事前演出とを区別することが可能となるからである。またこれにより、連続事前演出の実行可能性を適切に高め、遊技興趣を向上することが可能となる。尚、識別情報の停止態様である「特定停止態様」は、特定演出と関連する停止態様とすることが可能である。また、特定停止態様は、特定演出を実行した際の停止態様とすることが可能である。
（３）また、第４発明の遊技機は、第１発明乃至第３発明の遊技機において、
前記識別情報表示手段で変動表示する識別情報は、３個の識別情報からなり、
前記識別情報の変動表示の演出態様として、前記３個の識別情報のうち、２個の識別情報を同じ識別情報とし、且つ、１個の識別情報を変動表示するリーチ演出態様を有し、
前記特定演出は、前記リーチ演出態様であることを特徴とするものである。
このような遊技機によれば、識別情報は３個の識別情報からなり、識別情報の変動表示の演出態様として、３個の識別情報のうち、２個の識別情報を同じ識別情報とし、且つ、１個の識別情報を変動表示するリーチ演出態様を有し、特定演出を当該リーチ演出態様とする。これにより、連続事前演出の実行回数によってリーチ演出態様の発生を報知することが可能となり、遊技者は、連続事前演出の発生に期待し、連続事前演出の発生によって遊技興趣を高めることが可能となる。また、連続事前演出の実行を適切に制限することで、前の連続事前演出と後の連続事前演出とを明確に区別可能とすると共に、連続事前演出の実行可能性を適切に高め、遊技興趣を向上することが可能となる。
（４）また、第５発明の遊技機は、第４発明の遊技機において、
前記特定停止態様は、前記３個の識別情報のうち、２個の識別情報が同じ識別情報で停止表示し、且つ、１個の識別情報が前記２個の識別情報と異なる識別情報で停止表示する停止態様であることを特徴とするものである。
このような遊技機によれば、特定停止態様は、３個の識別情報のうち２個の識別情報が同じ識別情報で停止表示し、且つ、残り１個の識別情報が他の２個の識別情報と異なる識別情報で停止表示する停止態様（リーチ外れ停止態様）とする。これにより、特定の識別情報の変動表示において、識別情報の停止態様が、特定演出（リーチ演出態様）の発生を意味する特定停止態様（リーチ外れ停止態様）である場合には、次の識別情報の変動表示において連続事前演出の実行を制限しない。また、特定の識別情報の変動表示において、識別情報の停止態様が、特定演出（リーチ演出態様）が発生しなかったことを意味する停止態様である、すなわち、特定停止態様（リーチ外れ停止態様）でない場合には、前後の連続事前演出の区切りを明確化するため、次の識別情報の変動表示において連続事前演出の実行を制限する。これにより、遊技者が特定演出の発生を誤認することを防ぎ、遊技興趣の低下を防止することが可能となる。
（５）また、第６発明の遊技機は、第１発明乃至第５発明の遊技機において、
前記連続事前演出制限手段が、所定の識別情報の変動表示において、前記連続事前演出の実行を制限した場合、
当該所定の識別情報の変動表示の次の識別情報の変動表示において、前記連続事前演出の実行を制限しないことを特徴とするものである。
このような遊技機によれば、連続事前演出制限手段が、所定の識別情報の変動表示において連続事前演出の実行を制限した場合には、その次の識別情報の変動表示においては連続事前演出の実行を制限しないものとする。これにより、連続事前演出の実行を制限する期間を適切に制御し、前の連続事前演出と後の連続事前演出とを明確に区別可能とすると共に、連続事前演出の実行可能性を適切に高め、遊技興趣を向上することが可能となる。また、特定の識別情報の変動表示は、連続事前演出が実行される複数の連続する識別情報の変動表示における最後の識別情報の変動表示とされる。